(57)【要約】【課題】誤ってノックしようとしても浸透印面が露出しないノック式スタンプを提供する。【解決手段】スタンプ筐体１１と、前記スタンプ筐体に対して進退移動可能に設けられた浸透印面１３と、前記印面を前記スタンプ筐体に対して進退移動させるノック機構１２と、を有するノック式浸透印面スタンプ１において、前記スタンプ筐体に、重力に従って回転自在に設けられた振り子１２８を有し、前記振り子１２８は、前記スタンプ筐体の姿勢が所定の第１の姿勢の場合のみ前記ノック機構の進退移動を許可し、それ以外の第２の姿勢の場合は前記ノック機構の進退移動をロックする。【選択図】  図５Ｂ
2013216060.tif 000002
【特許請求の範囲】
【請求項１】
スタンプ筐体と、
前記スタンプ筐体に対して進退移動可能に設けられた浸透印面と、
前記印面を前記スタンプ筐体に対して進退移動させるノック機構と、を有するノック式浸透印面スタンプにおいて、
前記スタンプ筐体に、重力に従って回転自在に設けられた振り子を有し、
前記振り子は、前記スタンプ筐体の姿勢が所定の第１の姿勢の場合のみ前記ノック機構の進退移動を許可し、それ以外の第２の姿勢の場合は前記ノック機構の進退移動をロックすることを特徴とするノック式浸透印面スタンプ。
【請求項２】
前記ノック機構は、前記スタンプ筐体の先端開口から前記浸透印面が没入する前進位置と、前記先端開口から前記浸透印面が突出する後退位置との間を、前記スタンプ筐体に対して相対的に移動するように設けられ、
前記ノック機構は、当該ノック機構を前記後退位置に向かって付勢する弾性体を有する請求項１記載のノック式浸透印面スタンプ。
【請求項３】
前記ノック機構は、当該ノック機構が前記後退位置にある場合には前記振り子の回転を許容するが、前記スタンプ筐体が前記第２の姿勢にある場合であって前記ノック機構が前記後退位置から前進位置に移動する際に、前記振り子に係合して当該ノック機構の前進移動をロックする係合部を有する請求項１記載のノック式浸透印面スタンプ。
【発明の詳細な説明】
【技術分野】
【０００１】
本発明は、ノック式浸透印面スタンプに関するものである。
【背景技術】
【０００２】
いわゆる浸透印面材を用いたスタンプにおいて、保護キャップを省略して着脱の面倒さを解消したり保護キャップの紛失を防止したりするために、ノック式の浸透印面スタンプが知られている（特許文献１）。
【先行技術文献】
【特許文献】
【０００３】
【特許文献１】実開平５−１２１６１号公報
【発明の概要】
【発明が解決しようとする課題】
【０００４】
しかしながら、従来のノック式スタンプでは、鞄、筆箱または衣服のポケットに入れている間に、誤ってノックしてしまうとこれら鞄、筆箱または衣服のポケットが汚れてしまうといった問題がある。
【０００５】
本発明が解決しようとする課題は、誤ってノックしようとしても浸透印面が露出しないノック式スタンプを提供することである。
【課題を解決するための手段】
【０００６】
本発明のノック式浸透印面スタンプは、スタンプ筐体に対して進退移動可能に設けられた印面と、前記印面を前記スタンプ筐体に対して進退移動させるノック機構とを有するノック式浸透印面スタンプにおいて、重力に従って回転する振り子を前記スタンプ筐体に回転自在に設け、前記振り子は、前記スタンプ筐体の姿勢が所定の姿勢の場合のみ前記ノック機構の進退移動を許可し、それ以外の姿勢の場合は前記ノック機構の進退移動をロックすることを特徴とする。
【発明の効果】
【０００７】
本発明によれば、スタンプ筐体の姿勢が所定の姿勢、たとえば鉛直方向となる姿勢の場合のみ、振り子はノック機構の進退移動を許可し、それ以外の場合は振り子によってノック機構の進退移動がロックされるので、鞄、筆箱または衣服のポケットなどに入れてノックされようとしても、浸透印面が露出するのを防止することができる。
【図面の簡単な説明】
【０００８】
【図１】本発明の一実施の形態に係るノック式浸透印面スタンプを示す五面図である。
【図２】図１のノック式浸透印面スタンプの構成部品を示す斜視図である。
【図３】図１のノック式浸透印面スタンプをフロントボディ側から見た斜視図である。
【図４】図１のノック式浸透印面スタンプをリアボディ側から見た斜視図である。
【図５Ａ】振り子のロック作用を説明する図である。
【図５Ｂ】振り子のロック作用を説明する図である。
【発明を実施するための形態】
【０００９】
以下、本発明の実施形態を図面に基づいて説明する。
本例のノック式浸透印面スタンプ１は、スタンプ筐体１１と、ノック機構１２と、印面１３とを備える。スタンプ筐体１１は、フロントボディ１１１とリアボディ１１２とを合わせることで構成され、一端部の先端に印面１３が出没する開口部１１３が形成され、他端部の後端にノック機構１２の訂正印ホルダ１２１が露出する開口部１１４が形成されている。
【００１０】
ノック機構１２は、訂正印ホルダ１２１と、インナプレート１２２と、カムホルダ１２３と、カムシャフト１２４と、カム１２５と、一対のシャッタ１２６と、一対のアーム１２７と、振り子１２８と、振り子カバー１２９と、を備える。
【００１１】
インナプレート１２２は、第１切欠き１２２ａがフロントボディ１１１の第１突起１１１ａに挿通するとともに、第１切欠き１２２ｂがフロントボディ１１１の第２突起１１１ｂ（ピン状突起）に挿通するようにフロントボディ１１１とリアボディ１１２との間に挟持され、軸方向に進退移動可能とされる。
【００１２】
そして、フロントボディ１１１の第１突起１１１ａとインナプレート１２２の第１切欠き１２２ａとの間に圧縮コイルばね１２２ｃが介装されることにより、インナプレート１２２は後退方向に向かってバネ付勢されるが、インナプレート１２２の印面収納部１２２ｄの背面とフロントボディ１１１の第１突起１１１ａとが当接することで後退位置が固定されている。
【００１３】
なお、インナプレート１２２の先端の印面収納部１２２ｄには印面１３が装着され、後端には訂正印ホルダ１２１が装着され、印面１３はインナプレート１２２の進退移動にともなってスタンプ筐体１１の開口部１１３から出没し、訂正印ホルダ１２１はスタンプ筐体１１の開口部１１４から露出してノック機構１２のノック部を構成する。
【００１４】
カムホルダ１２３、カムシャフト１２４およびカム１２５は、ノック機構１２においてインナプレート１２２の前進位置を固定または解除する機能を司る。カムホルダ１２３は、筒部１２３ａの内部にカムシャフト１２４およびカム１２５を挿通し、筒部１２３ａの内面にカム１２５の外面に形成されたカム面に係合するカム面（図示を省略する）が形成されている。
【００１５】
そして、カムシャフト１２４およびカム１２５をカムホルダ１２３の筒部１２３ａに挿通させた状態で、カムシャフト１２４の一端を、インナプレート１２２の後端に装着した訂正印ホルダ１２１に固定する一方、カム１２５の一端をインナプレート１２２のピン１２２ｅに固定し、さらにカムホルダ１２３の一端をフロントボディ１１１に固定する。
【００１６】
これにより、インナプレート１２２が後退位置にある状態で訂正印ホルダ１２１のノック部をノックすると、インナプレート１２２とともに印面１３が前進し、カム１２５のカム面と筒部１２３ａ内面のカム面とが係合して当該前進位置で固定される。この前進位置からさらにノック部をノックすると、カム１２５のカム面と筒部１２３ａ内面のカム面との係合が外れて、圧縮コイルばね１２２ｃの弾性力によりインナプレート１２２は後退位置に戻ることになる。
【００１７】
一対のシャッタ１２６，１２６は、印面１３が開口部１１３から出没する際に開閉する。このため、一対のアーム１２７，１２７がフロントボディ１１１の第３突起にそれぞれ回転自在に設けられ、一対のアーム１２７，１２７の後端がインナプレート１２２の裏面に形成されたカム溝（図示を省略）に係合し、先端に一対のシャッタ１２６，１２６が回転自在に連結されている。
【００１８】
一対のシャッタ１２６，１２６は、フロントボディ１１１およびリアボディ１１２のそれぞれに形成されたカム溝に係合して挟持されている。そして、インナプレート１２２が前進すると、一対のアーム１２７，１２７の後端がインナプレート１２２の裏面のカム面に沿って移動することで当該一対のアーム１２７，１２７が回転し、これにより一対のシャッタ１２６，１２６は、開口部１１３を開くように移動する。逆にインナプレート１２２が後退すると、一対のシャッタ１２６，１２６は、開口部１１３を閉じるように移動する。
【００１９】
本例のノック式浸透印面スタンプ１は、振り子１２８を備え、スタンプ筐体１１が鉛直方向に直立した姿勢以外の姿勢ではインナプレート１２２が前進するのを防止する。本例の振り子１２８は錘１２８ａを有し、一端がフロントボディ１１１の第１突起１１１ａに回転自在に挿通し、他端の両側に係合部１２８ｂ，１２８ｂが形成され、振り子カバー１２９にて蓋がされている。一方、インナプレート１２２の振り子収納部１２２ｆは、両側面の壁面が切り欠かれ、この切り欠かれた両端が振り子１２８の係合部１２８ａに係合する係合部１２２ｇとなる。
【００２０】
図５Ａおよび図５Ｂを参照しながら、この様子をさらに詳細に説明する。図５Ａはスタンプ筐体１１がほぼ鉛直に直立した状態で訂正印ホルダ１２１の頭部をノックした場合を示し、この場合には、振り子１２８は鉛直に垂下するので振り子１２８の係合部１２８ａと振り子収納部１２２ｆの係合部１２２ｇとは係合せず、したがって、インナプレート１２２の前進が許容され、印面１３は開口部１１３から突出することができる。
【００２１】
これに対して図５Ｂは、スタンプ筐体１１が鉛直に直立した状態以外の姿勢、例えば鉛直横向きに倒された姿勢の場合を示し、この場合にも振り子１２８は鉛直方向に垂下するが、振り子収納部１２２ｆ自体が倒れているので、同図に示すように訂正印ホルダ１２１の頭部をノックしようとすると、振り子１２８の係合部１２８ａと振り子収納部１２２ｆの係合部１２２ｇとが係合し、したがって、インナプレート１２２の前進がロックされ、印面１３は開口部１１３から突出することができなくなる。この結果、本例のノック式浸透印面スタンプ１を鞄、筆箱または衣服のポケットなどに入れた状態で、不意にノックされても印面１３が突出して、これら鞄、筆箱または衣服のポケットなどを汚したりすることが防止される。
【００２２】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００２３】
１…ノック式浸透印面スタンプ
１１…スタンプ筐体
１１１…フロントボディ
１１１ａ…第１突起
１１１ｂ…第２突起
１１２…リアボディ
１１３，１１４…開口部
１２…ノック機構
１２１…訂正印ホルダ
１２２…インナプレート
１２２ａ…第１切欠き
１２２ｂ…第２切欠き
１２２ｃ…圧縮コイルばね
１２２ｄ…印面収納部
１２２ｅ…ピン
１２２ｆ…振り子収納部
１２２ｇ…係合部
１２３…カムホルダ
１２３ａ…筒部
１２４…カムシャフト
１２５…カム
１２６…シャッタ
１２７…アーム
１２８…振り子
１２８ａ…錘
１２８ｂ…係合部
１２９…振り子カバー
１２１…訂正印ホルダ
１３…印面
【図１】
2013216060.tif 000003
【図２】
2013216060.tif 000004
【図３】
2013216060.tif 000005
【図４】
2013216060.tif 000006
【図５Ａ】
2013216060.tif 000007
【図５Ｂ】
2013216060.tif 000008